(57)【要約】【課題】  録画された放送内容を再生する場合に、広告データをスキップせずに確実に表示、再生させる情報表示支援装置およびプログラムを提供する。【解決手段】放送局１０からＳＴＢ１２によって、ＣＭ情報と本編データとを含む放送データを受信して記憶し、記憶された放送データの内の本編データを読み出して表示装置１８で再生する場合に、所定のタイミングで本編データの再生を一時停止し、この本編データの再生に代えて、放送データの内の広告データを再生し、この広告データの再生が終了すると、一時停止していた前記本編データを再生する。【選択図】    図１
2005197944.tif 000002
【特許請求の範囲】
【請求項１】
広告データと本編データとを含む放送データを受信して記憶する記憶手段と、
前記記憶手段で記憶された前記放送データの内の本編データを読み出して再生する場合に、所定のタイミングで前記本編データの再生を一時停止し、この本編データの再生に代えて、前記放送データの内の広告データを読み出して再生し、この広告データの再生が終了すると、一時停止していた前記本編データを再生する再生手段と、
を備えることを特徴とする情報表示支援装置。
【請求項２】
前記広告データは付加情報を備ており、この付加情報に基づいて前記再生手段は、当該広告データを再生することを特徴とする請求項１に記載の情報表示支援装置。
【請求項３】
広告データと本編データとを含む放送データを受信して記憶する記憶手段と、
前記記憶手段で記憶された前記放送データの内の本編データを読み出して再生する場合に、所定のタイミングで前記本編データの再生を一時停止し、この本編データの再生に代えて、前記放送データの内の広告データを読み出して再生し、この広告データの再生が終了すると、一時停止していた前記本編データを再生する再生手段とを備える情報表示支援装置であって、
前記広告データは付加情報を備ており、この付加情報に基づいて前記再生手段は、当該広告データを再生することを特徴とする情報表示支援装置。
【請求項４】
前記付加情報は、前記広告データの期限情報を含んでおり、この期限情報に基づいて前記広告データが期限を超過していると判別した場合は、期限を超過している前記広告データに代えて新たな広告データを受信して再生することを特徴とする請求項１乃至３に記載の情報表示支援装置。
【請求項５】
広告データと本編データとを含む放送データを受信して記憶する第１の記憶手段と、
前記放送データと同時に放送するための通知情報を所定のタイミングで受信して記憶する第２の記憶手段と、
前記第１の記憶手段で記憶された放送データの内の本編データを読み出して再生する場合に、所定のタイミングで前記本編データの再生を一時停止し、この本編データの再生に代えて、前記放送データの内の広告データを読み出して再生し、この広告データの再生が終了すると、一時停止していた前記本編データを再生する再生手段と、
前記本編データの再生中、または広告データの再生中に、所定のタイミングで前記第２の記憶手段で記憶された通知情報を読み出して、読み出した通知情報を前記本編データまたは広告データと並行して再生する並行再生手段と、
を備えることを特徴とする情報表示支援装置。
【請求項６】
前記通知情報は付加情報を備ており、この付加情報に基づいて前記通知情報を前記本編データまたは広告データと並行して再生することを特徴とする請求項４に記載の情報表示支援装置。
【請求項７】
広告データと本編データとを含む放送データを受信して記憶する記憶手段と、
前記記憶手段で記憶された前記放送データの内の本編データ及び広告データを読み出し、読み出された本編データ及び広告データを同時に再生する再生手段と、
を備えることを特徴とする情報表示支援装置。
【請求項８】
前記広告データは付加情報を備ており、この付加情報に基づいて前記再生手段は、当該広告データを再生することを特徴とする請求項６に記載の情報表示支援装置。
【請求項９】
広告データと本編データとを含む放送データを受信して記憶する記憶手段と、
前記記憶手段で記憶された前記放送データの内の本編データ及び広告データを読み出し、読み出された本編データ及び広告データを同時に再生する再生手段とを備える情報表示支援装置であって、
前記広告データは付加情報を備ており、この付加情報に基づいて前記再生手段は、当該広告データを再生することを特徴とする情報表示支援装置。
【請求項１０】
広告データと本編データとを含む放送データを受信して記憶する記憶手順、
前記記憶手順で記憶された前記放送データの内の本編データを読み出して再生する場合に、所定のタイミングで前記本編データの再生を一時停止し、この本編データの再生に代えて、前記放送データの内の広告データを読み出して再生し、この広告データの再生が終了すると、一時停止していた前記本編データを再生する再生手順、
をコンピュータに実行させるための情報表示支援プログラム。
【請求項１１】
前記広告データは付加情報を備ており、この付加情報に基づいて前記再生手順は、前記広告データを再生することを特徴とする請求項１０に記載の情報表示支援プログラム。
【請求項１２】
前記付加情報は、前記広告データの期限情報を含んでおり、この期限情報に基づいて前記広告データが期限を超過していると判別した場合は、前記期限を超過している広告データに代えて、新たな広告データを受信して再生することを特徴とする請求項１０に記載の情報表示支援プログラム。
【請求項１３】
広告データと本編データとを含む放送データを受信して記憶する第１の記憶手順、
前記放送データと同時に放送するための通知情報を所定のタイミングで受信して記憶する第２の記憶手順、
前記第１の記憶手順で記憶された放送データの内の本編データを読み出して再生する場合に、所定のタイミングで前記本編データの再生を一時停止し、この本編データの再生に代えて、前記放送データの内の広告データを読み出して再生し、この広告データの再生が終了すると、一時停止していた前記本編データを再生する再生手順、
前記本編データの再生中、または広告データの再生中に、所定のタイミングで前記第２の記憶手順で記憶された通知情報を読み出して、読み出した通知情報を前記本編データまたは広告データと並行して再生する並行再生手順、
をコンピュータに実行させるための情報表示支援プログラム。
【請求項１４】
前記通知情報は付加情報を備ており、この付加情報に基づいて前記通知情報を前記本編データまたは広告データと並行して再生することを特徴とする請求項１３に記載の情報表示支援プログラム。
【発明の詳細な説明】
【技術分野】
【０００１】
この発明は、録画された放送内容を再生する場合に、広告データをスキップせずに確実に表示、再生させる情報表示支援装置およびプログラムに関する。
【背景技術】
【０００２】
従来、放送をＨＤＤ（ハードディスク）やＤＶＤ等に録画して視聴する形態が増加している。このような形態による放送の視聴の場合では、録画されたＣＭ等の広告データを早送りやスキップ等の機能を用いて広告データを飛ばして視聴することが行われる。また、予め放送中の広告データを検出して、広告データだけを録画しないといった形態が行われることがある。
【発明の開示】
【発明が解決しようとする課題】
【０００３】
ところが、このような構成では、放送局のスポンサーである広告主等が広告費に見合った効果を得ることが難しくなる恐れがある。
【０００４】
この発明は上記事情に着目してなされたもので、その目的とするところは、録画された放送内容を再生する場合に、広告データをスキップせずに確実に表示、再生させる情報表示支援装置およびプログラムを提供することにある。
【課題を解決するための手段】
【０００５】
本発明はかかる課題を解決するものであり、請求項１の発明は、広告データと本編データとを含む放送データを受信して記憶する記憶手段と、前記記憶手段で記憶された前記放送データの内の本編データを読み出して再生する場合に、所定のタイミングで前記本編データの再生を一時停止し、この本編データの再生に代えて、前記放送データの内の広告データを読み出して再生し、この広告データの再生が終了すると、一時停止していた前記本編データを再生する再生手段とを備えることを特徴とする情報表示支援装置としたものである。
【０００６】
したがって請求項１の発明は、広告データと本編データとを含む放送データが受信されて記憶され、記憶された放送データの内の本編データが読み出されて再生される場合に、所定のタイミングで本編データの再生が一時停止され、この本編データの再生に代えて、放送データの内の広告データが読み出されて再生され、広告データの再生が終了すると、一時停止していた本編データが再生される。このため、録画された放送データが再生される場合でも、確実に広告データを再生させることができる。
【０００７】
また、請求項２の発明は、前記広告データは付加情報を備ており、この付加情報に基づいて前記再生手段は、当該広告データを再生するようにしたものである。
【０００８】
したがって請求項２の発明は、広告データは付加情報を備ており、この付加情報に基づいて再生手段によって広告データが再生される。このため、付加情報により広告データの再生を詳細に管理することができる。
【０００９】
また、請求項３の発明は、広告データと本編データとを含む放送データを受信して記憶する記憶手段と、前記記憶手段で記憶された前記放送データの内の本編データを読み出して再生する場合に、所定のタイミングで前記本編データの再生を一時停止し、この本編データの再生に代えて、前記放送データの内の広告データを読み出して再生し、この広告データの再生が終了すると、一時停止していた前記本編データを再生する再生手段とを備える情報表示支援装置であって、前記広告データは付加情報を備ており、この付加情報に基づいて前記再生手段は、当該広告データを再生することを特徴とする情報表示支援装置である。
【００１０】
したがって請求項３の発明は、広告データと本編データとを含む放送データが受信されて記憶され、記憶された放送データの内の本編データが読み出されて再生される場合に、所定のタイミングで本編データの再生が一時停止され、この本編データの再生に代えて、放送データの内の広告データが読み出されて再生され、この広告データの再生が終了すると、一時停止していた本編データが再生される情報表示支援装置であって、広告データには付加情報が備えられており、この付加情報に基づいて広告データが再生される。このため、録画された放送データが再生される場合でも、確実に広告データを再生させることができ、付加情報により広告データの再生を詳細に管理することができる。
【００１１】
また、請求項４の発明は、前記付加情報は、前記広告データの期限情報を含んでおり、この期限情報に基づいて前記広告データが期限を超過していると判別した場合は、期限を超過している前記広告データに代えて新たな広告データを受信して再生するようにしたものである。
【００１２】
したがって請求項４の発明は、付加情報には、広告データの期限情報が含まれており、この期限情報に基づいて広告データが期限を超過していると判別された場合は、期限を超過している広告データに代えて新たな広告データが受信されて再生される。このため、録画された広告データを再生するときに、古い広告データは差し替えて再生することができる。
【００１３】
また、請求項５の発明は、広告データと本編データとを含む放送データを受信して記憶する第１の記憶手段と、前記放送データと同時に放送するための通知情報を所定のタイミングで受信して記憶する第２の記憶手段と、前記第１の記憶手段で記憶された放送データの内の本編データを読み出して再生する場合に、所定のタイミングで前記本編データの再生を一時停止し、この本編データの再生に代えて、前記放送データの内の広告データを読み出して再生し、この広告データの再生が終了すると、一時停止していた前記本編データを再生する再生手段と、前記本編データの再生中、または広告データの再生中に、所定のタイミングで前記第２の記憶手段で記憶された通知情報を読み出して、読み出した通知情報を前記本編データまたは広告データと並行して再生する並行再生手段とを備えることを特徴とする情報表示支援装置である。
【００１４】
したがって請求項５の発明は、広告データと本編データとを含む放送データが受信されて記憶され、放送データと同時に放送するための通知情報が所定のタイミングで受信されて記憶される。記憶された放送データの内の本編データが読み出されて再生される場合に、所定のタイミングで本編データの再生が一時停止され、本編データの再生に代えて、放送データの内の広告データが読み出されて再生され、広告データの再生が終了すると、一時停止していた本編データが再生される。そして、本編データの再生中、または広告データの再生中に、所定のタイミングで記憶された通知情報が読み出されて、読み出された通知情報が本編データまたは広告データと並行して再生される。このため、録画した内容を再生中にでも速報等の通知情報を表示することができる。
【００１５】
また、請求項６の発明は、前記通知情報は付加情報を備ており、この付加情報に基づいて前記通知情報を前記本編データまたは広告データと並行して再生するようにしたものである。
【００１６】
したがって請求項６の発明は、通知情報は付加情報が備わっており、この付加情報に基づいて通知情報が本編データまたは広告データと並行して再生される。このため、付加情報により通知情報の再生を詳細に管理することができる。
【００１７】
また、請求項７の発明は、広告データと本編データとを含む放送データを受信して記憶する記憶手段と、前記記憶手段で記憶された前記放送データの内の本編データ及び広告データを読み出し、読み出された本編データ及び広告データを同時に再生する再生手段と、を備えることを特徴とする情報表示支援装置である。
【００１８】
したがって、請求項７の発明は、広告データと本編データとを含む放送データが受信されて記憶され、記憶された放送データの内の本編データ及び広告データが読み出され、読み出された本編データ及び広告データが同時に再生される。このため、録画された放送データが再生される場合でも、本編データと同時に確実に広告データを再生させることができる。
【００１９】
また、請求項８の発明は、前記広告データは付加情報を備ており、この付加情報に基づいて前記再生手段は、当該広告データを再生することを特徴としている。
【００２０】
したがって請求項８の発明は、広告データには付加情報が備えられており、この付加情報に基づいて広告データが再生される。このため、付加情報により広告データの再生を詳細に管理することができる。
【００２１】
また、請求項９の発明は、広告データと本編データとを含む放送データを受信して記憶する記憶手段と、前記記憶手段で記憶された前記放送データの内の本編データ及び広告データを読み出し、読み出された本編データ及び広告データを同時に再生する再生手段とを備える情報表示支援装置であって、前記広告データは付加情報を備ており、この付加情報に基づいて前記再生手段は、当該広告データを再生することを特徴とする情報表示支援装置である。
【００２２】
したがって請求項９の発明は、広告データと本編データとを含む放送データが受信されて記憶され、記憶された放送データの内の本編データ及び広告データが読み出され、読み出された本編データ及び広告データが同時に再生される情報表示支援装置であって、広告データには付加情報が備さられおり、この付加情報に基づいて広告データが再生される。このため、録画された放送データが再生される場合でも、本編データと同時に確実に広告データを再生させることができ、付加情報により広告データの再生を詳細に管理することができる。
【００２３】
また、請求項１０の発明は、広告データと本編データとを含む放送データを受信して記憶する記憶手順、前記記憶手順で記憶された前記放送データの内の本編データを読み出して再生する場合に、所定のタイミングで前記本編データの再生を一時停止し、この本編データの再生に代えて、前記放送データの内の広告データを読み出して再生し、この広告データの再生が終了すると、一時停止していた前記本編データを再生する再生手順をコンピュータに実行させるための情報表示支援プログラムである。
【００２４】
したがって請求項１０の発明は、広告データと本編データとを含む放送データが受信されて記憶され、記憶された放送データの内の本編データが読み出されて再生される場合に、所定のタイミングで本編データの再生が一時停止され、この本編データの再生に代えて、放送データの内の広告データが読み出されて再生され、広告データの再生が終了すると、一時停止していた本編データが再生される。このため、録画された放送データが再生される場合でも、確実に広告データを再生させることができる。
【００２５】
また、請求項１１の発明は、前記広告データは付加情報を備ており、この付加情報に基づいて前記再生手順は、前記広告データを再生するようにしたものである。
【００２６】
したがって請求項７の発明は、広告データは付加情報を備ており、この付加情報に基づいて再生手段によって広告データが再生される。このため、付加情報により広告データの再生を詳細に管理することができる。
【００２７】
また、請求項１２の発明は、前記付加情報は、前記広告データの期限情報を含んでおり、この期限情報に基づいて前記広告データが期限を超過していると判別した場合は、前記期限を超過している広告データに代えて、新たな広告データを受信して再生するようにしたものである。
【００２８】
したがって請求項１２の発明は、付加情報には、広告データの期限情報が含まれており、この期限情報に基づいて広告データが期限を超過していると判別された場合は、期限を超過している広告データに代えて新たな広告データが受信されて再生される。このため、録画された広告データを再生するときに、古い広告データは差し替えて再生することができる。
【００２９】
また、請求項１３の発明は、広告データと本編データとを含む放送データを受信して記憶する第１の記憶手順、前記放送データと同時に放送するための通知情報を所定のタイミングで受信して記憶する第２の記憶手順、前記第１の記憶手順で記憶された放送データの内の本編データを読み出して再生する場合に、所定のタイミングで前記本編データの再生を一時停止し、この本編データの再生に代えて、前記放送データの内の広告データを読み出して再生し、この広告データの再生が終了すると、一時停止していた前記本編データを再生する再生手順、前記本編データの再生中、または広告データの再生中に、所定のタイミングで前記第２の記憶手順で記憶された通知情報を読み出して、読み出した通知情報を前記本編データまたは広告データと並行して再生する並行再生手順をコンピュータに実行させるための情報表示支援プログラムである。
【００３０】
したがって請求項１３の発明は、広告データと本編データとを含む放送データが受信されて記憶され、放送データと同時に放送するための通知情報が所定のタイミングで受信されて記憶される。記憶された放送データの内の本編データが読み出されて再生される場合に、所定のタイミングで本編データの再生が一時停止され、本編データの再生に代えて、放送データの内の広告データが読み出されて再生され、広告データの再生が終了すると、一時停止していた本編データが再生される。そして、本編データの再生中、または広告データの再生中に、所定のタイミングで記憶された通知情報が読み出されて、読み出された通知情報が本編データまたは広告データと並行して再生される。このため、録画した内容を再生中にでも速報等の通知情報を表示することができる。
【００３１】
また、請求項１４の発明は、前記通知情報は付加情報を備ており、この付加情報に基づいて前記通知情報を前記本編データまたは広告データと並行して再生するようにしたものである。
【００３２】
したがって請求項１４の発明は、通知情報は付加情報が備わっており、この付加情報に基づいて通知情報が本編データまたは広告データと並行して再生される。このため、付加情報により通知情報の再生を詳細に管理することができる。
【発明の効果】
【００３３】
請求項１の発明によれば、録画された放送データが再生される場合でも、確実に広告データを再生させることができる。
【００３４】
請求項２の発明によれば、付加情報により広告データの再生を詳細に管理することができる。
【００３５】
請求項３の発明によれば、録画された放送データが再生される場合でも、確実に広告データを再生させることができ、付加情報により広告データの再生を詳細に管理することができる。
【００３６】
請求項４の発明によれば、録画された広告データを再生するときに、古い広告データは差し替えて再生することができる。
【００３７】
請求項５の発明によれば、録画した内容を再生中にでも速報等の通知情報を表示することができる。
【００３８】
請求項６の発明によれば、付加情報により通知情報の再生を詳細に管理することができる。
【００３９】
請求項７の発明によれば、録画された放送データが再生される場合でも、確実に広告データを再生させることができる。
【００４０】
請求項８の発明によれば、付加情報により広告データの再生を詳細に管理することができる。
【００４１】
請求項９の発明によれば、録画された放送データが再生される場合でも、本編データと同時に確実に広告データを再生させることができ、付加情報により広告データの再生を詳細に管理することができる。
【００４２】
請求項１０の発明によれば、録画された放送データが再生される場合でも、確実に広告データを再生させることができる。
【００４３】
請求項１１の発明によれば、付加情報により広告データの再生を詳細に管理することができる。
【００４４】
請求項１２の発明によれば、録画された広告データを再生するときに、古い広告データは差し替えて再生することができる。
【００４５】
請求項１３の発明によれば、録画した内容を再生中にでも速報等の通知情報を表示することができる。
【００４６】
請求項１４の発明によれば、付加情報により通知情報の再生を詳細に管理することができる。
【発明を実施するための最良の形態】
【００４７】
（第１の実施形態）
図１は、本発明の第１の実施形態に係る情報表示支援装置を適用した情報表示支援システムの一実施形態を示す構成ブロック図である。
【００４８】
この情報表示支援システムは、図１に示すような構成となっている。放送局１０は、ＣＭ等の広告データおよび放送コンテンツ等の本編データ、速報情報等の通知データを含む放送データの放送を行う。この放送には、電波、インターネット、有線放送等の様々な形態が用いられる。また、放送の受信装置であるＳＴＢ（Set Top Box）１２は、放送局１０から受信した放送データを制御部１６で受信して、録画する場合等には記憶部１４に保存する。表示装置１８は、ＣＲＴや液晶ディスプレイ等であり、ＳＴＢ１２に接続され、ＳＴＢ１２に記憶された放送データの表示等を行う。なお、記憶部１４は、ハードディスク、メモリ、バッファメモリ（内部記憶メモリ）等からなる。
【００４９】
ＳＴＢ１２は、図２に示すような構成となっている。記憶部１４は、ＳＴＢ１２を所持するユーザのユーザ情報および識別情報等の認識を行うための認証情報を記憶する認証情報記憶領域１４ａと、広告データ、本編データおよび通知情報等を記憶する表示情報記憶領域１４ｂと、広告データ、本編データおよび通知情報等に付加して受信される放送の日時情報やＣＭのＩＤ情報、放送内容を録画した後に再生する場合に用いる識別情報、およびＣＭ表示タイミング情報等（これらを総称して、以下、属性情報という）を記憶する属性情報記憶領域１４ｃとを備えている。制御部１６は、記憶部１４に記憶された放送データの表示装置１８への出力等を行う情報表示手段１６ａと、放送データを属性情報に従って表示するか否かを判別する情報判別手段１６ｂとを備えている。また、記憶部１４は、情報表示支援プログラム、ＣＭテンプレート情報および録画予約情報等を図示しない記憶領域に記憶している。
【００５０】
次に、図３〜図５は、記憶部１４に記憶される各種情報について示した模式図である。図３は、本編データの属性情報の一例である。番組ＩＤとして「０１０１０１」、番組名として「わくわく大辞典」、放送日時情報として「２００３／０８／２１  ２２：００：００」、当該本編データに差し込むＣＭ情報（広告データ）の表示時間情報（属性情報）として「０００１」が設定されている。図４は、広告データ（ＣＭ情報）の一例である。ＣＭの識別情報であるＣＭＩＤとして「００１」、ＣＭ名として「命の水」、ＣＭに表示する文字情報として「あいうえおか」、ＣＭに表示する画像情報として「ＸＸＸ」、ＣＭに表示する動画情報として「ＹＹＹ」、使用するテンプレートＩＤとして「００３」が設定されている。
【００５１】
図５は、広告データの属性情報の一例である。例えば、どの番組のＣＭとして表示されるかに用いられるＣＭ表示時間情報ＩＤとして「０００１」（ここでは、例えば、図３の番組ＩＤ「０１０１０１」である「わくわく大辞典」にＣＭ表示時間情報ＩＤ「０００１」が設定されている）、ＣＭの表示回数情報である表示ＣＭ数として「０１１」（１１回表示する）、ＣＭの表示開始時間である表示開始タイムコード１として「００：０５：００」、ＣＭの表示終了時間である表示終了タイムコード１として「００：０５：３０」、どのＣＭに関する属性情報であるかの情報としてＣＭＩＤ１「００１」、同様に、ＣＭの表示開始時間である表示開始タイムコード２として「００：１０：００」、ＣＭの表示終了時間である表示終了タイムコード２として「００：１０：３０」、どのＣＭに関する属性情報であるかの情報としてＣＭＩＤ２「００２」、以下、必要に応じて、表示させたいＣＭごとにＣＭＩＤ、表示開始時間、表示終了時間を設定する。この例では、表示ＣＭ数に基づいて、ＣＭＩＤ１１までの１１回のＣＭ表示に関する属性情報が設定されている。なお、これらの情報はすべて設定する必要はなく、任意の項目のみの設定も可能である。
【００５２】
次に、以上のように設定されている属性情報に基づいて、放送データを録画する手順について説明する。図６は、情報表示支援プログラムを適用した情報表示支援装置の録画処理手順を示すフローチャートである。
【００５３】
ＳＴＢ１２の制御部１６は、ステップＳ１にて、放送局１０からの放送データを受信するための認証処理を行う。この認証処理は、記憶部１４の認証情報記憶領域１４ａに記憶されているＳＴＢ１２ごとの認証情報を用いて、放送データを受信する権利があるかどうか等の確認を行う。この認証処理が終了すると、ＳＴＢ１２の制御部１６は、ステップＳ２にて、放送局１０からの放送データを受信する。受信した放送データは、番組等の本編データ、ＣＭ等の広告データ、速報情報等の通知情報、これらの再生情報等である属性情報である。
【００５４】
ＳＴＢ１２の制御部１６は、放送データを録画する場合は、ステップＳ３にて、記憶部１４から予め設定されている録画予約情報を呼び出して、この録画予約情報に基づき録画を行い、受信した放送データの内、本編データ、広告デーおよび通知情報を記憶部１４の表示情報記憶領域１４ｂに記憶し、これらの属性情報を属性情報記憶領域１４ｃに記憶する。この際、本編データ中に広告データであるＣＭを挿入しない番組等は、属性情報は存在しない場合もある。そして、ＳＴＢ１２の制御部１６は、ステップＳ４にて、録画予約情報に基づき、録画処理を終了する。
【００５５】
次に、以上のようにして記憶された放送データを再生する手順について説明する。図７は、情報表示支援プログラムを適用した情報表示支援装置の再生処理手順を示すフローチャートである。
【００５６】
ＳＴＢ１２の制御部１６は、ステップＳ１０にて、記憶部１４から情報表示支援プログラムを読み出して起動する。次に、この情報表示支援プログラムは、放送局１０から受信した放送データの内、本編データを記憶部１４の表示情報記憶領域１４ｂから読み出し、当該情報表示支援プログラムに読み込みを行う。または、放送局１０からリアルタイムで受信した放送データの内、本編データを読み込む。
【００５７】
次に、制御部１６の情報表示手段１６ａは、ステップＳ１１にて、読み込んだ本編データの再生の開始を指示する。この指示を検知すると、制御部１６の情報判別手段１６ｂは、ステップＳ１２にて、時間判別処理を行う。この時間半別処理は、再生する本編データがリアルタイムに放送局１０から送られてきているものなのか、記憶部１４の表示情報記憶領域１４ｂから読み出されたものなのかを判別する。制御部１６の情報判別手段１６ｂがステップＳ１２にてリアルタイム放送であると判別した場合は、ステップＳ１８に遷移し、放送局１０が放送する放送データに従って、本編データ、広告データ等が再生され、本編データを終了する。
【００５８】
一方、制御部１６の情報判別手段１６ｂがステップＳ１２にてリアルタイム放送でない（録画されたものである）と判別した場合は、ステップＳ１３にて、録画された本編データの再生中にＣＭデータを挿入するためのＣＭ属性情報が属性情報記憶領域１４ｃに記憶されているか否かを判別する。制御部１６の情報判別手段１６ｂがステップＳ１３にて、属性情報記憶領域１４ｃに属性情報が記憶されていると判別した場合は、ステップＳ１４にて、記憶部１４の図示しない記憶領域からＣＭテンプレート情報を読み出し、再生用のＣＭ情報（広告データ）を作成した後、記憶部１４の属性情報記憶領域１４ｃから属性情報を読み出し、読み出した属性情報に基づいて、ＣＭ情報の表示を開始する。なお、ＣＭ情報の再生中には、本編データの再生を一時停止し、ＣＭ情報の再生が終了すると、本編データの再生を再開する。
【００５９】
例えば、前述した図３〜図５の例で説明すると、例えば、本編データ（「わくわく大辞典」：図３参照）の属性情報には、この本編データの途中で再生する広告データの情報であるＣＭ表示時間情報ＩＤ「０００１」が設定されている。ＣＭ表示時間情報ＩＤ「０００１」は、図５のＣＭ表示時間情報ＩＤ「０００１」に相当する。このＣＭ表示時間情報ＩＤ「０００１」に基づいて、再生するＣＭが決定される。例えば、表示ＣＭ数により、１１回のＣＭの再生が設定されており、この内、第１回目は、時間「００：０５：００」〜「００：０５：３０」にＣＭＩＤ「００１」を再生する。このＣＭＩＤ「００１」は、図４のＣＭＩＤ「００１」に相当し、ＣＭ名「命の水」が再生され、制御部１６の情報判別手段１６ｂはステップＳ１５にて、ＣＭ情報表示を終了する。なお、ＣＭ情報表示形式としては、デザインされた文字の画像等を表示する静止文字型、絵や写真等の静止画像、アニメーション等を用いた画像型、小さな画面でもできるミニゲーム型等の表示形式を取ることが出来る。
【００６０】
一方、制御部１６の情報判別手段１６ｂがステップＳ１３にて、属性情報記憶領域１４ｃに属性情報が記憶されていないと判別した場合は、ステップＳ１６に遷移する。
【００６１】
制御部１６の情報判別手段１６ｂは、ステップＳ１６にて、さらに表示するＣＭ情報があるか否かを判別する。この判別は、ＣＭ表示時間情報ＩＤ「０００１」に基づいて行う。図５に示すように、例えば、ＣＭ表示時間情報ＩＤ「０００１」では、あと１０回のＣＭ情報の再生が残っているので、ステップＳ１３に戻り、上述したように残りのＣＭ再生を行う。例えば、ＣＭＩＤ２「００２」に相当するＣＭ情報を時間「００：１０：００」〜「００：１０：３０」まで再生する。以下、この処理を繰り返し、１１回目までのＣＭ情報の再生が行われると、制御部１６の情報判別手段１６ｂはステップＳ１７にて、情報表示支援プログラムを終了し、続いて、ステップＳ１８にて、本編データの再生を終了する。
【００６２】
以上で、情報表示支援プログラムを適用した情報表示支援装置の放送データの再生処理を終了する。
【００６３】
このような構成とすることで、録画された放送内容を再生する場合に、広告データをスキップせずに確実に表示、再生させることができる。
【００６４】
（第２の実施形態）
次に、本発明の第２の実施形態について説明する。上述した第１の実施形態では、録画され記憶されたＣＭ情報を読み出して再生する形態を説明したが、再生時には、録画、記録されたＣＭ情報は最新のものであるとは限らない。第２の実施形態では、ＣＭ情報の有効期限情報をさらに属性情報として持たせ、再生時にＣＭ情報の有効期限情報をチェックして再生する。
【００６５】
図８は、第２の実施形態に係る情報表示支援装置を適用した情報表示支援システムの一実施形態を示す構成ブロック図である。なお、第１の実施形態と同様のものについては同符号で示し、詳しい説明を前述の説明に譲る。第１の実施形態と異なる点は、制御部１６に、情報取得・書き換え手段１６ｃがさらに追加された点である。この情報取得・書き換え手段１６ｃは、ＣＭ情報の有効期限が過ぎていると判別され、かつ、新しいＣＭ情報を取得すると判別された場合に、新しいＣＭ情報を取得して、古いＣＭ情報に変えて表示を行うものである。
【００６６】
本編データの属性情報として、図９に示すように、例えば、番組ＩＤとして「０１０１０１」、番組名として「わくわく大辞典」、放送日時情報として「２００３／０８／２１  ２２：００：００」、当該本編データに差し込むＣＭ情報（広告データ）の表示時間情報（属性情報）として「０００１」、そして新たに、有効期限情報として２００３／０９／２１、有効期限後の処理情報としてUpdate（同じＣＭ情報をアップデートして更新する）、更新するための接続先の情報である外部接続先情報として、ＵＲＬ等のhttp://www.・・が設定されている。また、有効期限後の処理情報としてUpdateの他には、例えば、Selected（指定ＣＭ情報へ差し替え）、Hidden（表示しない）等が考えられる。また、以上の属性情報は、ＳＴＢ１２に受信されると、記憶部１４の属性情報記憶領域１４ｃに記憶される。
【００６７】
図１０は、本発明の第２の実施形態に係る情報表示支援プログラムを適用した情報表示支援装置の実際の処理手順を示すフローチャートである。なお、第１の実施形態と同様の処理に関しては同じ符号を用いて、詳しい説明は、前述の説明に譲る。
【００６８】
ＳＴＢ１２の制御部１６の情報判別手段１６ｂは、ステップＳ１３にて、ＣＭ属性情報が有ると判別されると、ステップＳ１３−１に遷移し、記憶部１４の属性情報記憶領域１４ｃから有効期限情報を読み出し、期限内であるか否かを判別する。制御部１６の情報判別手段１６ｂが期限内であると判別した場合は、ステップＳ１６以下、第１の実施形態で説明した処理を進める。一方、制御部１６の情報判別手段１６ｂが期限外であると判別した場合は、ステップＳ１３−２にて、記憶部１４の属性情報記憶領域１４ｃから期限後処理情報を読み出し、UpdateやSelected等である場合は、ステップＳ１３−３に遷移し、新しいＣＭ情報の取得を行う。この際には、記憶部１４の属性情報記憶領域１４ｃから外部接続先情報を読み出し、この外部接続先情報に基づいて、新しいＣＭ情報を受信する。一方、ステップＳ１３−２にて、記憶部１４の属性情報記憶領域１４ｃから期限後処理情報を読み出し、Hidden等である場合は、ＣＭ情報を表示しないので、ステップＳ１６に遷移し、以後、第１の実施形態で説明した処理を進める。
【００６９】
以上のような構成とすることで、ＣＭ情報に有効期限情報を設定して、録画されたＣＭ情報が再生された日時に、ＣＭ情報が古い場合でも、新しいＣＭ情報を受信して表示させたり、古いＣＭ情報が不要である場合は表示させないようにすることができる。
【００７０】
（第３の実施形態）
次に、本発明の第３の実施形態について説明する。上述した第１の実施形態では、録画され記憶されたＣＭ情報を読み出して再生する形態を説明したが、再生時には、速報情報、例えば地震情報や選挙速報等の通知情報は、録画時の情報となり、古いものとなってしまう。また、録画したものを再生する場合は、これらの通知情報が表示されないので、第３の実施形態では、定期的に通知情報を取得して録画したものを再生する場合でも通知情報が表示されるようにしたものである。
【００７１】
図１１は、本発明の第３の実施形態に係る情報表示支援装置を適用した情報表示支援システムの一実施形態を示す構成ブロック図である。なお、第１の実施形態と同様のものについては同符号で示し、詳しい説明を前述の説明に譲る。第１の実施形態と異なる点は、制御部１６に、通知情報取得・差込手段１６ｄがさらに追加された点である。この通知情報取得・差込手段１６ｄは、通知情報を定期的に受信して、録画したものを再生している場合でも、通知情報があれば、ＣＭ情報や本編データに差し込みを行って表示を行うものである。
【００７２】
属性情報として、図１２および図１３に示すように、例えば、通知情報を定期的に取得するための接続先の情報である外部接続先情報として、ＵＲＬ等のhttp://www.・・、接続の間隔情報として３０００（ｓ：秒）が設定されている。また、通知情報の情報ＩＤとして「００１」、通知情報名として「選挙速報」、表示される文字情報として「特許太郎」、表示される画像情報として「ＸＸＸ」、表示される動画情報として「ＹＹＹ」、使用されるテンプレート情報として「００３」、表示時間情報として１５（ｓ：秒）、繰り返し回数情報として「３」が設定されている。なお、これらの情報はすべて設定する必要はなく、任意の項目のみの設定も可能である。また、以上の属性情報は、ＳＴＢ１２の記憶部１４の属性情報記憶領域１４ｃに記憶される。
【００７３】
図１４は、本発明の第３の実施形態に係る情報表示支援プログラムを適用した情報表示支援装置の通知情報取得手順を示すフローチャートである。制御部１６の通知情報取得・差込手段１６ｄは、ステップＳ２０にて、通知情報を取得するための接続間隔情報を記憶部１４の属性情報記憶領域１４ｃから読み出し、接続時間であるか否かを判別する。制御部１６の通知情報取得・差込手段１６ｄがステップＳ２０で接続時間であると判別すると、ステップＳ２１にて、記憶部１４の属性情報記憶領域１４ｃから外部接続先情報を読み出し、この外部接続先情報に基づいて接続を行い、通知情報があるか否か、更新されたか否かを判別する。制御部１６の通知情報取得・差込手段１６ｄがステップＳ２１で、通知情報があると判別すると、ステップＳ２２にて、通知情報を取得して、記憶部１４の表示情報記憶領域１４ｂに記憶する。以上で、通知情報の取得手順を終了する。
【００７４】
図１５は、本発明の第３の実施形態に係る情報表示支援プログラムを適用した情報表示支援装置の再生処理手順を示すフローチャートである。なお、第１の実施形態と同様の処理に関しては同じ符号を用いて、詳しい説明は、前述の説明に譲る。
【００７５】
ステップＳ１３にて、ＣＭ属性情報が有ると判別されると、ＳＴＢ１２の制御部１６の情報判別手段１６ｂは、ステップＳ１３−１０にて、通知情報が記憶部１４の表示情報記憶領域１４ｂに記憶されているか否かを判別する。ＳＴＢ１２の制御部１６の情報判別手段１６ｂがステップＳ１３−１０にて、通知情報が記憶部１４の表示情報記憶領域１４ｂに記憶されていないと判別された場合は、ステップＳ１４にてそのままＣＭ情報を再生する。一方、通知情報が記憶部１４の表示情報記憶領域１４ｂに記憶されていると判別された場合は、ＳＴＢ１２の制御部１６の情報判別手段１６ｂは、ステップＳ１３−１１にて、記憶部１４の表示情報記憶領域１４ｂから通知情報を読み出し、ＣＭ情報に読み出した通知情報を差し込み処理を行い、ステップＳ１４に遷移して、通知情報が差し込まれたＣＭ情報を再生する。この場合、図１３に示した通知情報の属性情報に基づいて再生される。なお、上述した実施形態では、ＣＭ情報への通知情報の差込について説明したが、本編データへの差込を行ってもよい。
【００７６】
以上のような構成とすることで、録画した内容を再生する場合においても、緊急速報等の通知情報を表示することができる。
【００７７】
また、上述した第１〜第３の実施形態を組み合わせた形態としてもよい。例えば、第２の実施形態と第３の実施形態とを組み合わせた形態であれば、ＣＭ情報の有効期限データでＣＭ情報の有効期限を確認し、かつ、通知情報の定期的な受信も行う、等である。
【００７８】
なお、本実施形態で説明した情報表示支援プログラムは、計算機（コンピュータ）に実行させることができるプログラム（ソフトウエア手段）として、例えば磁気ディスク（フロッピーディスク、ハ一ドディスク等）、光ディスク（ＣＤ−ＲＯＭ、ＤＶＤ等）、半導体メモリ等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含むものである。本装置を実現する計算機は、記録媒体に記録されたプログラムを読み込み、また場合により設定プログラムによりソフトウエア手段を構築し、このソフトウエア手段によって動作が制御されることにより上述した処理を実行する。
【図面の簡単な説明】
【００７９】
【図１】この発明の第１の実施形態に係わる情報表示支援プログラムを適用した情報表示支援システムの一実施形態を示す構成ブロック。
【図２】この発明の第１の実施形態に係わるＳＴＢの構成を示すブロック図。
【図３】この発明の第１の実施形態に係わる本編データの属性情報を示す模式図。
【図４】この発明の第１の実施形態に係わる広告データの属性情報を示す模式図。
【図５】この発明の第１の実施形態に係わるＣＭ表示時間情報の属性情報を示す模式図。
【図６】この発明の第１の実施形態に係わる情報表示支援プログラムによる録画処理を示したフローチャート。
【図７】この発明の第１の実施形態に係わる情報表示支援プログラムによる一連の処理を示したフローチャート。
【図８】この発明の第２の実施形態に係わるＳＴＢの構成を示す構成ブロック。
【図９】この発明の第２の実施形態に係わる本編データの属性情報を示す模式図。
【図１０】この発明の第２の実施形態に係わる情報表示支援プログラムによる一連の処理を示したフローチャート。
【図１１】この発明の第３の実施形態に係わるＳＴＢの構成を示す構成ブロック。
【図１２】この発明の第３の実施形態に係わる通知情報の取得先・接続情報を示す模式図。
【図１３】この発明の第３の実施形態に係わる通知情報の属性情報を示す模式図。
【図１４】この発明の第３の実施形態に係わる情報表示支援プログラムによる通知情報の取得処理を示したフローチャート。
【図１５】この発明の第３の実施形態に係わる情報表示支援プログラムによる一連の処理を示したフローチャート。
【符号の説明】
【００８０】
１０…放送局、１１…ＣＭＩＤ、１２…ＳＴＢ、１４…記憶部、１６…制御部、１８…表示装置
【図１】
2005197944.tif 000003
【図２】
2005197944.tif 000004
【図３】
2005197944.tif 000005
【図４】
2005197944.tif 000006
【図５】
2005197944.tif 000007
【図６】
2005197944.tif 000008
【図７】
2005197944.tif 000009
【図８】
2005197944.tif 000010
【図９】
2005197944.tif 000011
【図１０】
2005197944.tif 000012
【図１１】
2005197944.tif 000013
【図１２】
2005197944.tif 000014
【図１３】
2005197944.tif 000015
【図１４】
2005197944.tif 000016
【図１５】
2005197944.tif 000017